(57)【要約】  【課題】  美観に優れ、部品点数が増加することなく、施工作業が簡単で、しかも屋根面積に対して太陽光発電装置のシステム容量を最大限に引き出すとともに、発電電力を効率的に取り出すことができる太陽光発電装置を提供することを目的とする。  【解決手段】  屋根上に設けた桟に太陽電池モジュールを取り付けた太陽光発電装置であって、前記屋根軒側及び／または棟側に位置する前記太陽光発電装置の端部に太陽電池素子が配設された端部カバーを設置したことを特徴とする太陽光発電装置。  【選択図】  図１
2005155265.tif 000002
【特許請求の範囲】
【請求項１】
屋根上に設けた桟に太陽電池モジュールを取り付けた太陽光発電装置であって、前記屋根軒側及び／または棟側に位置する前記太陽光発電装置の端部に太陽電池素子が配設された端部カバーを設置したことを特徴とする太陽光発電装置。
【請求項２】
前記端部カバーの屋根端部側の片端が屋根端部より外側に伸びていることを特徴とする請求項１に記載の太陽光発電装置。
【請求項３】
前記端部カバー内に配設された太陽電池素子の傾斜角が前記太陽光発電装置を構成する太陽電池モジュールの傾斜角より大きいことを特徴とする請求項１または２に記載の太陽光発電装置。
【発明の詳細な説明】
【技術分野】
【０００１】
本発明は、住宅の屋根上に太陽電池モジュールを複数載置し、商用電力系統と系統連携する住宅用太陽光発電装置において、屋根の面積、形状により太陽電池モジュールの発電寄与可能枚数に制限を生じる場合でも、太陽電池素子の設置可能容量を減少させない太陽光発電装置に関する。
【背景技術】
【０００２】
太陽光発電装置は、その主要な構成要素である太陽電池パネルにより太陽光エネルギーを電力に変換して利用することで、家庭の電気負荷を低減させるものである。住宅においては、家屋の屋根上に太陽電池モジュールを配設して利用されることが多いため、屋根上への太陽電池モジュールの取付け構造も種々提案されている。
【０００３】
図１３の（ａ）、（ｂ）は従来の太陽電池モジュールを屋根上に設置する一実施形態を示す平面図である。
【０００４】
例えば、図１３に示すような構造は、従来から広く採用されていた取付け方法のひとつである。すなわち、図１３（ａ）のように屋根１２上に固定した屋根固定金具１１に桟１０を所定の間隔で設置し、図１３（ｂ）のように桟１０間に枠付きの太陽電池モジュール２０をボルト等で取り付けた構造を成すものである。
【０００５】
なお、実際の施工において桟は縦桟または横桟のいずれか一方、もしくは両方を用いた工法がある。
【０００６】
図１４は従来技術における太陽電池モジュールを側面から見た一部断面図である。
【０００７】
太陽電池モジュールの構造について図１４をもとに詳細に説明する。太陽電池モジュール２０は、受光面にガラスや樹脂等の光透過板１４が設けられ、この光透過板１４に多数の太陽電池素子１５が収容された樹脂等からなる封止材によって裏面材が貼着されたものであり、太陽電池素子１５としては、例えばシリコン系半導体やガリウムヒ素等から成る化合物半導体などの単結晶、多結晶や非晶質の材料が用いられ、互いに直列及び／または並列に電気的に接続されて、外部に出力が取り出される。
【０００８】
また、太陽電池モジュールはガラスや樹脂等の光透過板１４だけでは自重や加重等の外力によるたわみや曲がりに対して十分な強度を得られない。そこで太陽電池モジュールの外周には光透過板１４や太陽電池素子１５の保護や強度向上のために周囲に枠体１９が取り付けられている。
【０００９】
枠体１９には鉄やステンレス、アルミニウムのような金属の折り曲げ材や押し出し成形、ＦＲＰなどの樹脂成型品が用いられる。枠体１９同士の組付けは直接ネジやリベットで結合されるものや、連結プレートのような補助部材を介して固定されたり、ガラスや樹脂等の光透過板１４に接着することで行われる。
【００１０】
また、一体成型された枠に光透過板１４をはめ込む構造のものもある。
【００１１】
一般に前記枠体１９は太陽電池モジュールの強度向上の目的以外にも太陽電池モジュール２０自身の設置用固定部の役割もあり、その下部に貫通穴やネジ穴が設けられて桟にネジやボルトで固定したり、枠体を金具で挟持固定するなどして桟に強固に固定される。
【００１２】
図１５は従来技術における太陽光発電装置を屋根に設置する様子を示す斜視図である。
【００１３】
図１５に示すように、屋根上に太陽電池モジュールを複数載置して太陽光発電装置Ｊとしていくのであるが、屋根上に設置した屋根固定金具１１上に桟１０を設置し、さらに太陽電池モジュール２０を桟１０に載置するため、設置した状態を屋根下方から見ると金具が剥き出しとなって見え、屋根の美観を阻害してしまう。
【００１４】
そこで、太陽光発電装置Ｊの端部に化粧カバーとして端部カバー１８を設けて外観向上、鳥類の侵入防止、負圧荷重の軽減といった役割を果たすようにしている。
【００１５】
図１６は従来技術における太陽光発電装置の端部カバー部の構造を示す断面図である。
【００１６】
端部カバー１８の詳細な構造を図１６に記した一実施例を基に説明する。太陽電池モジュール２０は屋根固定金具１１の枠固定部１１ａによって枠体１９が挟持固定されており、屋根固定金具１１の大部分は太陽電池モジュール２０の外に露出している。この露出部分を覆い隠すように端部カバー１８が被さり、固定される。
【００１７】
本例では太陽電池モジュール２０の枠体１９の突出部１９ａと屋根固定金具１１の引っ掛け部１１ｂ、１１ｃによりボルトレスで固定されるようにしているが、木ネジやボルトを使って固定する方法も用いられている。
【００１８】
また、太陽光発電装置Ｊを載置したとき、屋根全面に太陽電池モジュールが寸分狂わず収まりきることはほとんどないため、端部カバー１８の片端が屋根材上に置かれることとなるが、通常、風によって振動し、騒音を立てたりしないよう屋根に釘や木ねじで固定される。
【００１９】
このとき、釘や木ねじの穴から雨水が浸入ないよう防水処理が行われるのであるが、防水処理を行わなくてよいように端部カバーの片端を太陽光発電装置の桟に取り付けた支持具によって支持されるようにしたものもある（例えば、特許文献１を参照）。
【特許文献１】特開２００２−３８６７５号公報
【発明の開示】
【発明が解決しようとする課題】
【００２０】
しかしながら、前述のような太陽光発電装置においては、様々な屋根面積、屋根形状において太陽電池モジュールを効率よく載置し、限られた面積を如何に多くの発電面積（発電総容量）ができるかといった問題の解決が成されない。
【００２１】
図１７は従来技術における太陽光発電装置の太陽電池モジュールを屋根上に載置する様子を模式的に説明する平面図である。
【００２２】
図１７に示すように、寄棟型の屋根１２に太陽電池モジュール２０を載置した例においては、屋根面積上１６枚の太陽電池モジュールしか載せることができないが、一般に太陽光発電システムの主要部品である直流電力−交流電力変換を行うパワーコンディショナの起動電圧が１５８Ｖ前後であるため、太陽電池モジュールを全て直列接続にしても１５４Ｖであり、結果、太陽光発電装置の設置条件を満たさないとして太陽光発電の普及を阻害するといった問題があった。
【００２３】
また、通常パワーコンディショナは入力電圧が高い方が変換効率が高いが、面積不足で太陽電池モジュールが数枚載らないために２並列にしなければならないとすると、発電総量は増加するがシステム効率は低下するといった問題もあった。
【００２４】
また、端数になった太陽電池モジュールを取り外すと屋根の美観が損なわれる載置配列では、外観上のダミーとして設置され、発電には貢献できないといった問題もあった。
【００２５】
このような場合、太陽電池モジュール２０ａ（できれば起動電圧に余裕を持たせるために２０ｂを合わせて２枚）を別に設置するなどの手段で太陽光発電システムを導入することは可能であるが、太陽電池モジュール２０ａ専用に別架台を設けるなどしなくてはならず、特に大型の太陽電池モジュールでは１枚が１ｍ四方以上もあるので台風などの強風に耐えられる強固な架台を用いなくてはならないなどの問題が生じる。
【００２６】
また、特許文献１にはこのような問題を緩和すべく、矩形モジュールだけでは利用できない三角形状の残り屋根面積を利用するため、三角形や台形のモジュールを提示しているが、必ずしもその三角形モジュールが載置できる屋根面積が残っているかどうかは不確定であり、しかも三角形モジュールなどの場合、１太陽電池モジュール内の太陽電池素子の枚数が矩形太陽電池モジュールと一致しない（通常少ない）ため、電圧が合わないなどの問題もある。
【００２７】
また、太陽電池モジュールの一部を屋根の別の面（例えば太陽光発電装置の主要部が屋根南面で、数枚が屋根東面）に設置する場合には日射量が異なってしまうので、例えば昼過ぎになって屋根東面の太陽電池モジュールの発電量が低下すると、それに直列接続された屋根南面の主要部に置かれた太陽電池モジュールの発電電流は、低下した太陽電池モジュールに阻害されることとなり、全体の発電電力量が低下するといった問題があり、太陽光発電装置の発電電力を効率的に取り出すことができない。
【００２８】
以上のことに鑑みて、本発明は、美観に優れ、部品点数が増加することなく、屋根上での載置作業が容易で、作業工数が少なく施工作業が簡単で、しかも屋根面積に対して太陽光発電装置の発電容量を最大限に引き出すとともに、発電電力を効率的に取り出すことができる太陽光発電装置を提供することを目的とする。
【課題を解決するための手段】
【００２９】
上記目的を達成するために、本発明の太陽光発電装置は、屋根上に設けた桟に太陽電池モジュールを取り付けた太陽光発電装置であって、前記屋根軒側及び／または棟側に位置する前記太陽光発電装置の端部に太陽電池素子が配設された端部カバーを設置したことを特徴とする。
【００３０】
また、本発明の他の太陽光発電装置は、前記端部カバーの屋根端部側の片端が屋根端部より外側に伸びていることを特徴とする。
【００３１】
また、本発明の他の太陽光発電装置は、前記端部カバー内に配設された太陽電池素子の傾斜角が前記太陽光発電装置を構成する太陽電池モジュールの傾斜角より大きいことを特徴とする。
【発明の効果】
【００３２】
本発明の太陽光発電装置によれば、屋根上に載置可能な太陽電池モジュールを全直列にしてもパワーコンディショナを起動させる最低電圧を確保できない太陽光発電装置に対し、数枚分が付与され、パワーコンディショナの起動電圧を得ることができるので太陽光発電装置として発電に貢献できるようになる。
【００３３】
また、整然と並んだ配列から１枚だけ取り外すと全体の美観を損なうので、発電に寄与しない外観上のダミーとして設置していたものが、発電面積として有効に活用することが出来るようになる。
【００３４】
また、意図的に系統を２系統に分けなければならない場合においても、太陽電池モジュールを屋根の別の面にまたがって設置すると、それぞれの屋根面の方向の違いから日射量が異なり、太陽電池発電面への太陽光の照射角度の悪化により発電量が低下すると、それに直列接続されたもう一方の屋根面に置かれた太陽電池モジュールの発電電流も、出力低下した屋根面の太陽電池モジュールの出力電流以上に電流を流せずに全体の発電電力量が低下するといった問題を、本発明に係る太陽光発電装置における端部カバーを用いて系統を２つの系統の並列接続に分けることによって、昼から発電出効率の落ちる屋根面の太陽電池モジュールから影響を受けないようになり、太陽光発電装置の発電電力を効率的に取り出すことができるようになる。
【００３５】
また、パワーコンディショナの下限近い出力電圧では日射角度や、日射量の低下が生じるとパワーコンディショナの起動電圧以下になって負荷への電力供給が行えなくなるが、本発明に係る太陽光発電装置における端部カバーによって直列接続した系統の電圧を上昇させるようにすることによって負荷への電力供給が長く行えるようになり、総発電量を向上させるといった用途にも有効である。
【００３６】
また、本発明に係る太陽光発電装置における端部カバーは太陽光発電装置の端部化粧カバーとしての役割を兼ねているので新たな部材の増加にならず、新たな屋根固定部材等の設置を必要とせず、しかも太陽電池素子のデザインを利用して屋根外観を向上させる。
【００３７】
また、本発明に係る太陽光発電装置における端部カバーの太陽電池素子の位置をカバー部の傾斜部分に設けるようにして、太陽電池モジュールに平行な配置に較べ屋根面積の占有面積が少なくなり、太陽電池モジュールを載置すべき屋根面積を広くとるとこができる。
【００３８】
また、前記端部カバー内に配設された太陽電池素子の傾斜角が前記太陽光発電装置を構成する太陽電池モジュールの傾斜角より大きくしたことで、本発明に係る太陽光発電装置における端部カバー内の太陽電池素子の傾斜角を発電効率がより良い角度にすることによって、太陽光発電装置全体の発電電圧を向上させることができる。
【００３９】
また、本発明に係る太陽光発電装置における端部カバーのフレームの一部を発電部を使って補強する構造とすることにより、本発明に係る太陽光発電装置における端部カバーを軽量とし、住宅の屋根への負担を軽減する。さらに、このようにすることで、本来フレームがあるべき部分の裏面が空気層となるので、太陽電池素子の放熱効果も得ることができ、太陽電池の発電効率が向上する。
【００４０】
また、本発明に係る太陽光発電装置における端部カバーは片端のみで屋根固定金具に取り付けられるので、屋根固定金具を屋根の軒側に近づけて設置し、屋根をぎりぎりまで有効に活用しながら、この状態で本発明に係る太陽光発電装置における端部カバーがさらに屋根の軒側（屋根よりも外側）の位置にまで張り出して、屋根上の発電有効面積以上に太陽電池素子による発電面積を増加させるようにすることができる。これにより、太陽電池モジュールの設置面積不足により生じる問題の解決に当たって、屋根の残り面積に影響されずに発電総量を向上させることができる。
【００４１】
また、同一方向の屋根面に載置した太陽電池モジュールと本発明に係る太陽光発電装置における端部カバーの発電部とを電気的に直列接続する限り、双方は同じ日射量により発電が行われるので日照条件の差を生じさせず、安定した発電を行うことができる。
【発明を実施するための最良の形態】
【００４２】
以下に、本発明に係る太陽光発電装置の実施形態の一例を模式的に図示した図面に基づいて詳細に説明する。
【００４３】
図１は本発明に係る太陽光発電装置における端部カバーの構造を模式的に示す斜視図、図２は本発明に係る太陽光発電装置における端部カバーの構造を模式的に示す断面図である。
【００４４】
図１に示すように、本発明に係る太陽光発電装置における端部カバー８は太陽電池素子等からなる発電部１とこの発電部１を保持するカバー部２とから構成される。
【００４５】
図２に示すように、発電部１は主にシリコン等から成る太陽電池素子１５を所定の枚数を直列および並列に接続して成り、任意の出力電圧、出力電流を得るようにしている。太陽電池素子１５の大きさ、直並列の組み合わせは特に規定しないが、設置される太陽光発電装置の太陽電池モジュールに搭載されている太陽電池素子と同定格のものであることが好ましい。
【００４６】
太陽電池素子１５の受光面にはガラス板や合成樹脂板などの光透過板１４を配し、特に図示しないが太陽電池素子１５の非受光面（裏面）には光透過性のあるテドラフィルム（ＰＶＦ（ポリフッ化ビニル））などの耐候性フィルムを被着する。
【００４７】
そして、光透過板１４と耐候性フィルムとの間には、たとえばＥＶＡ（エチレン-酢酸ビニル共重合樹脂）などから成る透明な合成樹脂を介在し、充填材と成している。
【００４８】
このようにして出来た発電部１を、鉄やステンレス、アルミニウムなどの金属の押し出し成形などでつくったレールから成るカバー部２に挿入、もしくは接着固定して本発明に係る太陽光発電装置における端部カバー８となる。
【００４９】
図３は本発明に係わる太陽光発電装置における端部カバーの組み付けを模式的に示す平面図である。
【００５０】
図３に示すように、本発明に係る太陽光発電装置における端部カバー８は太陽光発電装置Ｊの屋根軒側と隣接する端部Ｂに通常の化粧カバーと同様に取り付け可能である。本例の場合、太陽光発電装置Ｊに使用される太陽電池モジュール２０は定格発電電圧が９．６Ｖのものが１６枚であり全直列にしてもパワーコンディショナを起動させる最低電圧である１５８Ｖを得られないため、太陽光発電装置Ｊとして成り立たないはずであるが、本発明に係る太陽光発電装置における端部カバー８を取り付けることにより太陽光発電装置Ｓとなり、本発明に係る太陽光発電装置における端部カバー８の発電容量が太陽光発電装置Ｊの太陽電池モジュール２０の発電容量の半分であるので、本発明に係る太陽光発電装置における端部カバー８の４枚により太陽電池モジュール２０の２枚の発電相当分が付与され、パワーコンディショナの起動電圧１５８〜３００Ｖの範囲である１７３Ｖを得ることができるので、太陽光発電装置Ｓとして発電に貢献できるようになる。
【００５１】
また、さらに大型の太陽光発電装置とした例を図４に示す。
【００５２】
図４は本発明に係わる太陽光発電装置の太陽電池モジュールを屋根上に載置する様子を模式的に説明する平面図である。
【００５３】
図４に示すように、太陽光発電装置Ｊ２は３２枚の太陽電池モジュール２０を有するが、パワーコンディショナが入力電圧範囲を１５８〜３００Ｖのものとすると、最大限に利用出来るのは３１枚（２９８Ｖ）で、残った１枚（図中２０ｅ）は設置しないことになり、屋根の面積を有効に使うことができない。
【００５４】
また、整然と並んだ配列から１枚だけ取り外すと、全体の美観を損なうので、発電に寄与しない外観上のダミーとして設置することになる。
【００５５】
この場合は、３２枚では最大入力電圧を超えてしまうことが問題となるのであるが、逆に２並列にすると１直列当たり１６枚となりパワーコンディショナの起動電圧を下回ってしまうという問題がある。
【００５６】
そこで、太陽光発電装置Ｊ２の屋根軒側に本発明に係る太陽光発電装置における端部カバー８ａおよび屋根棟側に本発明に係る太陽光発電装置における端部カバー８ｂを配することにより、発電電圧が３４枚分以上の太陽電池モジュール２０に相当することとなり、１７枚の系統（１６３Ｖ）を２系統としてパワーコンディショナに入力できるようになるので、太陽電池モジュール２０ｅをダミーモジュールとせず、屋根面積を発電面積として有効に活用することが出来るようになる。
【００５７】
なお、本例ではパワーコンディショナの入力電圧範囲を１５８〜３００Ｖとしたが、この限りではなく上限、下限は様々であり、例えば先程の条件でパワーコンディショナの入力電圧範囲が１５８〜２４０Ｖであったとすると、２５枚しか設置できないので、７枚分が発電出来ない屋根面積、もしくはダミーの太陽電池モジュールとなるはずのものを全て発電面積に変えるのでより効果が大きい。
【００５８】
また、同様にして意図的に系統を２系統に分けなければならない場合にも有効である。例えば、３１枚の太陽電池モジュールを用いた太陽光発電装置であったとすると、パワーコンディショナの入力電圧範囲が１５８〜２４０Ｖであれば、１系統のシステムで良いである。
【００５９】
図５は本発明に係わる太陽光発電装置の太陽電池モジュールを屋根上に載置する他の実施形態を模式的に説明する平面図である。
【００６０】
図５に示すように、屋根の面積が１面（例えば寄棟屋根の南面１２ａ）だけでは３１枚を載置できない場合、残った枚数を屋根の別の面（例えば寄棟屋根の東面１２ｂ）に載置するなどする必要があり、太陽電池モジュールを屋根の別の面にまたがって設置するとそれぞれの屋根面の方向の違いから日射量が異なるので、昼過ぎになって屋根東面が太陽電池発電面への太陽光の照射角度の悪化により発電量が低下すると、それに直列接続された屋根南面１２ａに置かれた太陽電池モジュールの発電電流も、出力低下した東面１２ｂの太陽電池モジュールの出力電流以上に電流を流せなくなり、全体の発電電力量が低下するといった問題が生じていたが、本発明に係る太陽光発電装置における端部カバー８を用いて系統を太陽電池モジュール群２１ａ（１７枚）と、２１ｂ＋２１ｃ（１４枚）＋本発明に係る太陽光発電装置における端部カバーの２つの系統の並列接続に分けることによって、昼過ぎに良好に発電できる太陽電池モジュール群２１ａの系統が、昼から発電出効率の落ちる寄棟屋根東面１２ｂの太陽電池モジュール群２１ｃと２１ｂの系統（南面１２ａに分かれて載置された太陽電池モジュール群２１ｂは２１ｃのモジュールの出力電流低下の影響を受ける）から影響を受けないようになり、太陽光発電装置の発電電力を効率的に取り出すことができるようになる。
【００６１】
また、１７枚（１６３Ｖ）のように、下限近い出力電圧では前述したような日射角度や、日射量の低下が生じるとパワーコンディショナの起動電圧以下になって負荷への電力供給が行えなくなるが、本発明に係る太陽光発電装置における端部カバー８によって直列接続した系統の電圧を上昇させるようにすることによって負荷への電力供給が長く行えるようになり、総発電量を向上させるといった用途にも有効である。
【００６２】
以下に、本発明の太陽光発電装置を屋根上に設置する他の方法を説明する。
【００６３】
図６は本発明に係わる太陽光発電装置を屋根へ設置した様子を模式的に説明する斜視図、図７は本発明に係わる太陽光発電装置における端部カバーの第２の実施形態を模式的に示す断面図、図８は本発明に係わる太陽光発電装置における端部カバーの第３の実施形態を模式的に示す断面図、図９は本発明に係わる太陽光発電装置における端部カバーの第４の実施形態を模式的に示す断面図である。
【００６４】
図６に示すように、家屋等の屋根上に屋根固定金具１１をネジや釘で固定する。次に屋根固定金具１１に太陽電池モジュール２０および本発明に係る太陽光発電装置における端部カバー８を固定する。
【００６５】
本発明に係る太陽光発電装置における端部カバー８は図７に示すように、カバー部２ａ上に凸部３を複数設け、その間の谷間に太陽電池素子１５を配してシリコン樹脂４などを流し込んで硬化させるモールドタイプの発電部としてもよく、カバー部と発電部を一体とでき、製造にかかる工程を少なくできる。
【００６６】
なお、使用するシリコン樹脂は硬化後硬質化するものが好ましい。
【００６７】
また、図８に示すように、ガラスやアクリル、ポリカーボネイトなどで作られたケース５に太陽電池素子１５をモールドした発電部を、カバー部２ｂ上に固定するようにして、外部からの衝撃を太陽電池素子１５へ伝わりにくくして品質を向上させるようにしてもよい。
【００６８】
一方、図９に示すように発電部１の位置をカバー部２の傾斜部に設けるようにしても良い。
【００６９】
図１０は本発明に係る太陽光発電装置の他の実施形態を模式的に示す断面図である。
【００７０】
図１０に示すように、太陽光発電装置は屋根固定部材１１と太陽電池モジュール２０による厚みを有している。この高さを利用して本発明に係る太陽光発電装置における端部カバー８内の太陽電池素子１５を傾斜させて配置するようにすると、１５’のような太陽電池モジュールに平行な配置に較べ、長さＡの分だけ屋根面積を占有しなくなり、太陽電池モジュールを載置すべき屋根面積を広くとるとこができる。
【００７１】
なお、太陽電池モジュール２０と太陽電池素子１５との傾斜角が異なるようになるが、日本国内での太陽電池の最適設置角度は３０〜４５度であり、住宅の屋根の傾斜角には３５度に満たないものも多いので、本発明に係る太陽光発電装置における端部カバー８内の太陽電池素子の傾斜角を発電効率がより良い角度にすることによって、太陽光発電装置全体の発電電圧を向上させることができる。
【００７２】
図１１は本発明に係る太陽光発電装置における端部カバーの第５の実施形態を模式的に示す断面図、図１２は本発明に係る太陽光発電装置の更なる他の実施形態を模式的に示す平面図である。
【００７３】
図１１に示すように、カバー部２ｃのフレームの一部を発電部１を使って補強する構造とし、本発明に係る太陽光発電装置における端部カバー８ｄを軽量化するようにしてもよい。
【００７４】
具体的にはカバー部２ｃの支持受け部６ａと６ｂはつながっておらず、外力はすべてフレーム７によって支えられることになる。そこで、支持受け部６ａ、６ｂ間に発電部１を挿入し、カバー部２ｃの第二フレームとして使用する。
【００７５】
このようにすることで、第二フレームが有るべき部分の重量軽減となるだけでなく、発電部１の裏面が空気層１６となるので、太陽電池素子の放熱効果も得ることができ、太陽電池素子の発電効率が向上する。
【００７６】
また、本発明に係る太陽光発電装置における端部カバー８ｄは片端のみで屋根固定金具に取り付けられるので、図１２に示すように、家屋等の屋根１２上に屋根固定金具１１を屋根１２の軒側に近づけて設置し、屋根をぎりぎりまで有効に活用しながら、この状態で本発明に係る太陽光発電装置における端部カバー８がさらに屋根の軒側（屋根よりも外側）にある雨樋９の位置にまで張り出して、屋根上の発電有効面積以上に太陽電池素子による発電面積を増加させるようにすることができる。
【００７７】
これにより、前述したような数枚の太陽電池モジュールの設置面積不足により生じる問題の解決に当たって、屋根の残り面積に影響されずに発電総量を向上させることができるのである。
【００７８】
また、同一方向の屋根面に載置した太陽電池モジュールと本発明に係る太陽光発電装置における端部カバーの発電部とを電気的に直列接続する限り、双方は同じ日射量により発電が行われるので日照条件の差を生じさせず、安定した発電を行うことができるのである。
【００７９】
なお、本実施形態では、傾斜屋根の棟−軒方向へ複数の桟を配設し、平板状の太陽電池モジュールを載置した太陽光発電装置について述べているが、この限りではなく、発明の要旨を逸脱しない範囲で適宜の方法・構成を採用することができる。
【図面の簡単な説明】
【００８０】
【図１】本発明に係る太陽光発電装置における端部カバーの構造を模式的に示す斜視図である。
【図２】本発明に係る太陽光発電装置における端部カバーの構造を模式的に示す断面図である。
【図３】本発明に係わる太陽光発電装置における端部カバーの組み付けを模式的に示す平面図である。
【図４】本発明に係わる太陽光発電装置の太陽電池モジュールを屋根上に載置する様子を模式的に説明する平面図である。
【図５】本発明に係わる太陽光発電装置の太陽電池モジュールを屋根上に載置する他の実施形態を模式的に説明する平面図である。
【図６】本発明に係わる太陽光発電装置を屋根へ設置した様子を模式的に説明する斜視図である。
【図７】本発明に係わる太陽光発電装置における端部カバーの第２の実施形態を模式的に示す断面図である。
【図８】本発明に係わる太陽光発電装置における端部カバーの第３の実施形態を模式的に示す断面図である。
【図９】本発明に係わる太陽光発電装置における端部カバーの第４の実施形態を模式的に示す断面図である。
【図１０】本発明に係る太陽光発電装置の他の実施形態を模式的に示す断面図である。
【図１１】本発明に係わる太陽光発電装置における端部カバーの第５の実施形態を模式的に示す断面図である。
【図１２】本発明に係る太陽光発電装置の更なる他の実施形態を模式的に示す平面図である。
【図１３】（ａ）、（ｂ）は従来の太陽電池モジュールを屋根上に設置する一実施形態を示す平面図である。
【図１４】従来技術における太陽電池モジュールを側面から見た一部断面図である。
【図１５】従来技術における太陽光発電装置を屋根に設置する様子を示す斜視図である。
【図１６】従来技術における太陽光発電装置の端部カバー部の構造を示す断面図である。
【図１７】従来技術における太陽光発電装置の太陽電池モジュールを屋根上に載置する様子を模式的に説明する平面図である。
【符号の説明】
【００８１】
１：発電部
２、２ａ〜２ｃ：カバー部
３：凸部
４：シリコン樹脂
５：ケース 
６ａ、６ｂ：支持受け部
７：フレーム
８、８ａ〜８ｄ：本発明に係る太陽光発電装置における端部カバー
９：雨樋
１０：桟
１１：屋根固定金具
１１ａ：枠固定部
１１ｂ、１１ｃ：引っ掛け部
１２：屋根
１２ａ：寄棟屋根の南面
１２ｂ：寄棟屋根の東面
１４：光透過板
１５：太陽電池素子
１６：空気層
１８：端部カバー
１９：枠体
１９ａ：突出部
２０：太陽電池モジュール
２１ａ、２１ｂ、２１ｃ：太陽電池モジュール群
Ｂ：端部
Ｊ、Ｓ：太陽光発電装置
【図１】
2005155265.tif 000003
【図２】
2005155265.tif 000004
【図３】
2005155265.tif 000005
【図４】
2005155265.tif 000006
【図５】
2005155265.tif 000007
【図６】
2005155265.tif 000008
【図７】
2005155265.tif 000009
【図８】
2005155265.tif 000010
【図９】
2005155265.tif 000011
【図１０】
2005155265.tif 000012
【図１１】
2005155265.tif 000013
【図１２】
2005155265.tif 000014
【図１３】
2005155265.tif 000015
【図１４】
2005155265.tif 000016
【図１５】
2005155265.tif 000017
【図１６】
2005155265.tif 000018
【図１７】
2005155265.tif 000019